(57)【要約】【課題】  互換性が高く共用の記録装置、再生装置の構成が容易であり、かつユーザーにとって識別が容易なHigh to Lowメディア、Low to Highメディアを構成すること。また、それぞれの記録装置、再生装置を構成することにある。【解決手段】複数の層を持つHigh to Lowメディア、Low to Highメディアにおいて、共通の変調規則、訂正符号をもち、層数の同じHigh to Lowメディア、Low to Highメディアの容量を異なる容量とすることによる。複数の層を持つHigh to Lowメディア、Low to Highメディアにおいて、共通の変調規則、訂正符号をもち、層数の同じHigh to Lowメディア、Low to Highメディアの容量を異なる容量とすることによる。【選択図】  図６
2013004162.tif 000002
【特許請求の範囲】
【請求項１】
情報を記録する多層光ディスクであって、
記録膜の反射率が記録前に比べて記録後に低くなるタイプの多層ディスクと記録膜の反射率が記録前に比べて記録後の反射率が高くなるタイプの多層ディスクがあり、
前記記録膜の反射率が記録前に比べて記録後に低くなるタイプの多層ディスクと前記記録膜の反射率が記録前に比べて記録後の反射率が高くなるタイプの多層ディスクは、訂正符号と変調規則が共通であり、
同じ層数である、前記記録膜の反射率が記録前に比べて記録後に低くなるタイプの多層ディスクと前記記録膜の反射率が記録前に比べて記録後の反射率が高くなるタイプの多層ディスクの一層あたりの記録容量が異なることを特徴とすることを特徴とする光ディスク。
【請求項２】
情報を記録する多層光ディスクの記録装置であって、
同じ層数である、前記記録膜の反射率が記録前に比べて記録後に低くなるタイプの多層ディスクと前記記録膜の反射率が記録前に比べて記録後の反射率が高くなるタイプの多層ディスクの一層あたりの記録容量が異なり、
記録膜の反射率が記録前に比べて記録後に低くなるタイプの多層ディスクと記録膜の反射率が記録前に比べて記録後の反射率が高くなるタイプの多層ディスクに対し共通の訂正符号による訂正符号の付加処理を行う誤り訂正符号付加手段と、
記録膜の反射率が記録前に比べて記録後に低くなるタイプの多層ディスクと記録膜の反射率が記録前に比べて記録後の反射率が高くなるタイプの多層ディスクに対し共通の変調処理を行う変調手段とを持つことを特徴とする光ディスクの記録装置。
【請求項３】
情報を記録する多層光ディスクの再生装置であって、
同じ層数である、前記記録膜の反射率が記録前に比べて記録後に低くなるタイプの多層ディスクと前記記録膜の反射率が記録前に比べて記録後の反射率が高くなるタイプの多層ディスクの一層あたりの記録容量が異なり、
記録膜の反射率が記録前に比べて記録後に低くなるタイプの多層ディスクと記録膜の反射率が記録前に比べて記録後の反射率が高くなるタイプの多層ディスクに対し共通の訂正符号により訂正符号の付加された誤り訂正符号により誤り訂正を行う手段と、
記録膜の反射率が記録前に比べて記録後に低くなるタイプの多層ディスクと記録膜の反射率が記録前に比べて記録後の反射率が高くなるタイプの多層ディスクに対し共通の変調処理が行われた変調信号に対し復調処理を行う復調手段とを持つことを特徴とする光ディスクの再生装置装置。
【請求項４】
情報を記録する多層光ディスクであって、
記録膜の反射率が記録前に比べて記録後に低くなるタイプの多層ディスクと記録膜の反射率が記録前に比べて記録後の反射率が高くなるタイプの多層ディスクがあり、
前記記録膜の反射率が記録前に比べて記録後に低くなるタイプの多層ディスクと前記記録膜の反射率が記録前に比べて記録後の反射率が高くなるタイプの多層ディスクは、訂正符号と変調規則が共通であり、
層数もしくは、前記記録膜の反射率が記録前に比べて記録後に低くなるタイプの多層ディスクか前記記録膜の反射率が記録前に比べて記録後の反射率が高くなるタイプの多層ディスクの違いがある場合、ディスク１枚あたりの記録容量が異なることを特徴とすることを特徴とする光ディスク。
【請求項５】
請求項１記載の光ディスクであって、
前記記録膜の反射率が記録前に比べて記録後の反射率が高くなるタイプの多層ディスクの１層あたりの記録容量は、層数の異なる前記記録膜の反射率が記録前に比べて記録後に低くなるタイプの多層ディスクの何れかと、１層あたりの容量が等しいことを特徴とする光ディスク。
【発明の詳細な説明】
【技術分野】
【０００１】
本発明は、光ディスクおよび光ディスクの記録装置および光ディスクの再生装置に関する。
【背景技術】
【０００２】
現在広く普及しているＣＤ−ＲやＤＶＤ−Ｒなどの追記型光ディスクは、記録膜の反射率が記録前に比べて記録後に低くなるタイプが一般的であるが、このような光ディスクとは逆に記録前に比べて記録後の反射率が高くなる光ディスクとしてBlu−ray Disc（TM）などがある。例えば、特許文献１参照。以降、記録前に比べて記録後の反射率が低くなるタイプの光ディスクをHigh to Lowメディア、記録前に比べて記録後の反射率が高くなる光ディスクをLow to Highメディアと呼ぶ。  
【先行技術文献】
【特許文献】
【０００３】
【特許文献１】特許２５１２０８７号公報
【発明の概要】
【発明が解決しようとする課題】
【０００４】
互換性が高く共用の記録装置、再生装置の構成が容易であり、かつユーザーにとって識別が容易なHigh to Lowメディア、Low to Highメディアを構成すること。また、それぞれの記録装置、再生装置を構成することにある。
【課題を解決するための手段】
【０００５】
本発明は、複数の層を持つHigh to Lowメディア、Low to Highメディアにおいて、共通の変調規則、訂正符号をもち、層数の同じHigh to Lowメディア、Low to Highメディアの容量を異なる容量とすることによる。
【発明の効果】
【０００６】
本発明のHigh to Lowメディア、Low to Highメディアは共通の変調規則、訂正符号を持つため共用の記録装置、再生装置を構成することが容易であり、また同じ層数のディスクでも容量が違うためユーザーが混乱なくディスクを判別することができる。
【図面の簡単な説明】
【０００７】
【図１】ディフェクト信号の生成過程を示す波形図
【図２】ミラー信号の生成過程を示す波形図
【図３】本発明におけるディフェクト信号の生成過程
【図４】本発明におけるミラー信号の生成過程を示す波形図
【図５】本発明による多層ディスクの一層あたりの記録容量を示す表
【図６】本発明による多層ディスクの総容量を示す表
【図７】本発明に用いるディスクのデータフレーム構造図
【図８】本発明に用いるディスクのスクランブルドデータフレーム構造図
【図９】本発明に用いるディスクの２１６行３０４列のデータブロック構成図
【図１０】本発明に用いるディスクのＬＤＣブロック構造図
【図１１ａ】ＬＤＣブロックに対する第１のインターリーブを示す構成図
【図１１ｂ】ＬＤＣブロックに対する第２のインターリーブを示す構成図
【図１２】本発明に用いるディスクのアドレス情報の構造図
【図１３】本発明に用いるディスクのアクセスブロックの構造図
【図１４】本発明に用いるディスクのＢＩＳブロックの構造図
【図１５】本発明に用いるディスクのＢＩＳクラスタの構造図
【図１６】本発明に用いるディスクのＥＣＣクラスタの構造図
【図１７】本発明に用いるディスクの記録フレームの構造図
【図１８】本発明に用いるディスクで用いられる１−７変調の変換図
【図１９】同期フレームの同期信号パターン表
【図２０】本発明に用いるディスクのＢＣＡの位置を示す構造図
【図２１】本発明に用いる光ディスク記録再生装置のブロック図
【図２２】多層光ディスクのADIPデータ構造図
【図２３】多層光ディスクのADIPワード構造図
【図２４】多層光ディスクのADIP Auxフレーム構造図
【図２５】本発明である多層光ディスクのアドレスの相関図
【図２６】本発明のアドレス検出のタイミング図
【図２７】本発明のアドレス検出の検出回路図である。
【発明を実施するための形態】
【０００８】
High to Low メディアとLow to Highメディアとして、一台の光ディスク装置の前記High to Low メディアとLow to Highメディアの両方でのディフェクト信号とミラー信号の作成について説明する。
【０００９】
最初に、ディフェクト信号生成について図１を用いて説明する。  図１は、ＲＦ信号のトップエンベロープからディフェクト信号を生成する場合における各信号波形である。なお、図１の左側の波形はHigh to Low メディアの場合に
おける各波形であり、右側の波形はLow to Highメディアの場合における各波形である。
【００１０】
図１（ａ）は、ＲＦ信号波形であり、未記録部および記録部においてゴミなどのディフェクトのためにＲＦ信号のレベルが低下している。なお、図１において未記録部および記録部のディフェクトの大きさは同じであるものとする。  
図１（ｂ）は、ＲＦ信号のトップエンベロープである。  
図１（ｃ）は、ディフェクト信号であり、トップエンベロープ（ｂ）と閾値電圧Vth1を比較し、トップエンベロープ（ｂ）がVth1より小さい期間においてディフェクトを示すHighレベルとなる。
【００１１】
図１（ｃ）において、High to Lowメディアの場合は、未記録部および記録部のディフェクトを正しく検出できている。一方、Low to Highメディアの場合、未記録部ではディフェクトを正しく検出できているが記録部ではディフェクトを検出できていない。この原因は、Low to Highメディアの場合、未記録部と記録部の各ディフェクト部におけるトップエンベロープのＤＣレベルが異なるためである。
【００１２】
次に、ミラー信号生成について図２を用いて説明する。  
図２は、ＲＦ信号のボトムエンベロープからミラー信号を生成する従来技術の場合における各信号波形である。なお、図２の左側の波形はHigh to Lowメディアの場合における各波形であり、右側の波形はLow to High メディアの場合における各波形である。  
図２（ａ）は、記録膜の断面図であり、ランド・グルーブ構造を有している。なお、記録マークはグループにのみ形成されるものとし、既にグルーブには情報が記録されているものとする。  
図２（ｂ）は、トラッキング制御オフ状態においてレーザスポットがトラックを横断しているときのＲＦ信号である。High to Lowメディア、Low to Highメディア共に、記録マークが形成されているグルーブにおいてＲＦ信号振幅が大きくなり、記録マークが形成されていないランドにおいてＲＦ信号振幅が小さくなる。このことは、ＲＦ信号が記録トラック／未記録トラックによる変調を受けていることと同義であり、High to Lowメディアの場合はボトムエンベロープが変調を受けており、Low to Highメディアはトップエンベロープが変調を受けている。  
図２（ｃ）は、ＲＦ信号のボトムエンベロープである。  
図２（ｄ）は、ミラー信号であり、ボトムエンベロープ（ｃ）と閾値電圧Vth2を比較し、ボトムエンベロープ（ｃ）がVth2より大きい期間にHighレベルとなる。ランド・グルーブ構造を有する光ディスクにおいてランドまたはグルーブのどちらか一方に記録を行う場合、記録を行わない方をミラー面と定義する。つまり本説明の場合はランドがミラー面である。よって、ミラー信号（ｄ）がHighの時には光ピックアップから照射されたレーザスポットはミラー面であるランドに位置していることを示すことになる。  
図２においてHigh to Lowメディアの場合、ミラー信号（ｄ）はランド部においてHighレベルとなり、正しくミラー面を検出している。一方、Low to Highメディアの場合、ボトムエンベロープ（ｃ）がVth2よりも大きいレベルのためミラー信号（ｄ）は常にHighレベルとなってしまい、ミラー面を正しく検出できない。なお、Low to Highメディアのボトムエンベロープはミラー面と記録トラックによる変調を受けていないため、ＤＣレベルを除去しても正しくミラー信号を検出することはできない。
【００１３】
これに対して、BCAやPICなどによりメディアの識別を行い、Low to Highメディアであると識別した場合は、ボトムエンベロープ検出回路２１が出力するＲＦ信号のボトムエンベロープ信号を電圧Vthと比較するようにする。この場合の各信号波形を図５に示す。
【００１４】
図３（ａ）は、図１（ａ）の右側の波形と同じLow to HighメディアのＲＦ信号波形であり、未記録部と記録部にそれぞれディフェクト部によるＲＦ信号のレベル低下が存在する。
【００１５】
図３（ｂ）は、入力されるＲＦ信号（ａ）のボトムエンベロープである。
【００１６】
図３（ｃ）は、比較回路２７が出力するdefect信号であり、ボトムエンベロープ信号（ｂ）が電圧Vth1より小さい期間でHigh レベルとなる。これより、図３（ｃ）に示す本実施例のdefect信号は未記録部と記録部の両方のディフェクトを正しく検出できていることが分かる。
【００１７】
これに対して、BCAやPICなどによりメディアの識別を行い、Low to Highメディアであると識別した場合は、ＲＦ信号のトップトエンベロープ信号に対しＡＣカップリングを介して電圧Vth2と比較するようにする。この場合の各信号波形を図４に示す。
【００１８】
図４（ａ）は、記録膜の断面図であり、ランド・グルーブ構造を有している。なお、図１（ａ）と同様に記録マークはグループにのみ形成されるものとし、既にグルーブには情報が記録されているものとする。  
図４（ｂ）は、図２（ｂ）右側と同様にLow to High メディアにおいてトラックを横断しているときのＲＦ信号である。記録マークが形成されているグルーブにおいてＲＦ信号振幅が大きくなり、記録マークが形成されていないランドにおいてＲＦ信号振幅が小さくなる。  
図４（ｃ）は、ＡＣカップリング介して入力されるＲＦ信号のトップエンベロープ信号である。
【００１９】
図４（ｄ）は、トップエンベロープ信号（ｃ）が電圧Vth2に設定されている０レベルより大きい期間にHighレベルとなることを示す。
【００２０】
図４（ｅ）は、出力（ｄ）を極性反転したものである。ＲＦ信号（ｂ）のレベルが低下している部分がミラー部となるランドであり、その期間において波形（ｅ）はHighレベルとなっている。また、逆にＲＦ信号のレベルが上がっている部分が記録部であるグルーブであり、その期間において波形（ｅ）はLowレベルとなっている。よって、波形（ｅ）からmirr部と記録トラックを判別可能であり、mirr信号として用いることができる。
【００２１】
なお、図４の説明においてＡＣカップリングの出力波形（ｃ）は０レベルが基
準となるように出力しているが、任意のリファレンスレベルVrefを基準としてもよい。また、その場合は、電圧Vth2は前記リファレンスレベルVrefに設
定すれば、mirr信号は図４（ｅ）と同様の波形になる。  
以上に説明した第１実施例の光ディスク装置は、装着された光ディスクの種類に応じて、defect信号およびmirr信号の生成対象信号をＲＦ信号のトップエンベロープ信号またはボトムエンベロープ信号に切り換えるため、High to LowメディアとLow to Highメディアのどちらでもdefect信号とmirr信号を正しく生成することができる。
【００２２】
次に第２の実施例を図５、図６を用いて説明する。本実施例では、２層以上のディスクにおいて、同じ層数のHigh to LowメディアとLow to Highメディアの１層あたりの容量を異ならせている。また、Low to Highメディアの１層あたりの層数は、層数の異なる何れかの層数のHigh to Lowメディアの１層あたりの容量と同じにしている。例えば２層のLow to Highメディアの１層あたりの容量は３２ＧＢであり、同じ２層のHigh to Lowメディアの１層あたりの容量２５ＧＢとは異なるが、４層のHigh to Lowメディアの１層あたりの容量３２ＧＢとは異なる。従って図６に示すようにHigh to LowメディアとLow to Highメディアの２層、３層、４層の全種類のディスクの容量を異ならせることが可能となる。これは、High to LowメディアとLow to Highメディアというユーザーの使い勝手に関係しない物理的特性ではなく、ユーザーの使い勝手に直接関係する容量で全てのディスクを識別することが可能となる。High to LowメディアとLow to Highメディアは信号の極性が異なることにより、共用装置には第１の実施例に示すような技術が必要なほか、反射率などの特性が異なることも考えられ各多層ディスクで、High to LowメディアとLow to Highメディアに個別の対応が必要となる。しかしながら、High to LowメディアとLow to High各層数のディスクが異なる時期に採用可能となると、ディスクの記録装置や再生装置はHigh to LowメディアとLow to Highメディアの各層数のディスクに対して、そのうちのどのディスクに対して記録、再生が可能かという対応がまちまちになる可能性が高い。この場合に対しても、全てのディスクで容量が異なればユーザーに対してどのディスクに対して記録、再生を行うのかを、容易に示すことが可能となる。また、また、Low to Highメディアの１層あたりの層数は、層数の異なる何れかの層数のHigh to Lowメディアの１層あたりの容量と同じにしているため、訂正符号や変調規則などのエンコード処理を１層あたりの容量が同じものに対し共通化しやすく、全てのディスクに対して対応する装置を構成することが容易になる。また、また、Low to Highメディアの１層あたりの層数は、層数の異なる何れかの層数のHigh to Lowメディアの１層あたりの容量と同じにしなくても、同じ層数のHigh to LowメディアとLow to Highメディアの１層あたりの容量を異ならせ、High to LowメディアでLow to Highメディアの総容量が異ならせるだけでも、識別を容易にする効果は同様に得られる。
【００２３】
第2の実施例に示された、2層、3層、4層のHigh to LowメディアとLow to Highメディアに共通に用いる、記録処理について説明する。図７に示すとおり、ユーザーデータを２０４８バイト単位に分割し、それぞれに４バイトの誤り検出コードを付加して２０５２バイトのデータフレームを構成する。次に、各データフレームに対し図８に示すとおりスクランブル処理を行い、スクランブルドデータフレームを構成する。次に図８に示すとおり、スクランブルドデータフレームを３２個集める。次に列順に再配置を行い、図９に示すとおり２１６行３０４列のデータブロックを構成する。そして、図１０に示すとおり、データブロックの各列に対して(２４８，２１６，３２)のリードソロモン符号で符号化を行い、３２バイトのパリティを付加し新たに２４８行３０４列のＬＤＣ（Long Distant Code）ブロックを構成する。ＬＤＣブロックに対しては次の第１のインターリーブと、第２のインターリーブが処理される。第１のインターリーブは図１１ａに示されるように、偶数番目の列のデータとそれに続く奇数番目の列のデータを互い違いに挟み込むように再配置を行い４９６行１５２列のブロックを構成する。第２のインターリーブは図１１ｂ示すとおり、再配置された４９６行１５２列のブロックに対し、上から２行単位で、最初の２行はシフトせず、次の２行は左に３バイトシフト、次の２行は６バイトシフト、次の２行は左に９バイトシフトと３バイトずつシフト量を増加させる再配置を行う。第１のインターリーブ、第２のインターリーブを施したデータはＬＤＣクラスタを構成する。
【００２４】
一方、このデータブロックに付加されるアドレスは以下のように生成される。
図１２に示されるようにデータブロックは１６のアドレスユニットに分割され、それぞれに９バイトのアドレス情報が割り当てられる。９バイトの内訳は、４バイトのアドレスと、１バイトのフラグ情報と、５バイトのアドレスとフラグ情報に付加されたパリティとからなる。このアドレスはインターリーブ処理を行ったうえで、６行２４列のマトリックスを形成する。同時にユーザー制御データ１８バイト、３２ユニット分が２４行２４列のマトリックスに配置される。
上記の６行２４列のマトリックスと２４行２４列のマトリックスは結合され、図１３に示す３０行２４列のアクセスブロックを形成する。アクセスブロックの各列に対して（６２，３３，３２）のリードソロモン符号で符号化を行い、３２バイトのパリティを付加して図１４に示す、６２行２４列のＢＩＳ（Burst Indicating Subcode）ブロックを形成する。ＢＩＳブロックのデータに対し再配置を行い図１５に示す４９６行３列のＢＩＳクラスタを構成する。
【００２５】
前記のＬＤＣクラスタを３８列ずつに分割し、間にＢＩＳクラスタのデータを一列ずつ挿入し図１６に示すＥＣＣクラスタを構成する。
【００２６】
ＥＣＣクラスタの各行１５５バイトのデータに対しては、先頭に２０ビットのフレーム同期信号が付加し、１５５バイトのデータは先頭２５ビット、以降は４５ビットずつに分割し、間にＤＣコントロールビットを挿入し、図１７に示す記録フレームを構成する。ＤＣコントロールビットは変調後のＤＳＶが０に近くなるように制御される。
【００２７】
記録フレームのデータに対する変調は図１８に示されるテーブルに従って１７変調を行う。フレーム同期信号は図１９に示されるように３０bitsの同期コードを用いて付加される。図１９において、＃は同期コードの前の変調後のデータが0000もしくは00で終端された場合は１となり、他の場合は０となる。
【００２８】
第１の実施例でHigh to LowメディアとLow to Highメディアの識別に用いた、ＢＣＡの配置を、光ディスク２４０１の上から見た配置図で、図２０に示す。光ディスク２４０１の半径２１．３ｍｍから２２．０ｍｍまでの範囲には、同心円状にバーストカッティングエリア（ＢＣＡ）２４０２が形成される。また、２４０３はセンターホールである。このＢＣＡには、ディスクＩＤ等のディスク固有の情報もしくは、ディスクの準拠するフォーマット情報等が格納されている。こうした情報は１周が略４７５０チャネルビットであるのに対し、４６４８チャネルビットを占める。このＢＣＡに媒体の識別のためのコードなどを記録する。
【００２９】
本発明のディスクに対応した、記録再生装置の説明を図２１を用いて行う。図２１は記録再生装置のブロック図である。図２１において、３１００は実施例1及び２で示された、記録可能ディスクである。３１０１はディスク３１００を回転させるディスクモータ、３１０２はディスク３１００にレーザー光を照射し、反射光を検出し再生信号を得る光ピックアップである。３１１１はサーボユニットであり、光ピックアップ３１０２やディスクモータ３１０１の制御を行う。また３１０２は記録時には的確に整形された波形のレーザー光をディスク３１００に照射して記録を行う。３１０３はアナログフロントエンドであり、光ピックアップ３１０２で検出された信号の波形整形やサーボ信号の生成などを行う。３１０４は復調処理回路であり、波形整形された信号の２値化や、データのエンコード処理で説明した１−７変調に基づいた復調処理などを行う。３１０５はＤＲＡＭ（Ｄｙｎａｍｉｃ  Ｒａｎｄｕｍ  Ａｃｃｅｓｓ  Ｍｅｍｏｒｙ）であり、復調処理されたデータ、訂正処理中、入出力データ、変調処理前のデータなどの一時記憶に用いられる。３１０６はＥＣＣ（Ｅｒｒｏｒ  Ｃｏｒｒｅｃｔｉｏｎ  Ｃｉｒｃｕｉｔ）であり、再生処理時にはＤＲＡＭ３１０５に一時記憶された復調処理済のデータに対し、誤り訂正処理をおこない、記録処理時には、ＤＲＡＭ３１０５に一時記憶された入力データに対し、誤り訂正符号の付加を行う。３１０７はインターフェース回路であり、ＤＲＡＭ１０５に一時記憶されたデータを出力端子３１１４からの出力したり、入力端子３１１３からの入力データをＤＲＡＭ３１０５に記憶させたり、インターフェース処理を行う。また、双方向化することで３１１３，３１１４を共通化することも可能である。３１０８は変調回路であり、記録時には、ＤＲＡＭ３１０５から読み出したデータに対して、データのエンコード処理で説明した１−７変調に基づいた変調処理を行い、変調データをＬＤＤ（Ｌａｓｅｒ  Ｄｉｏｄｅ  Ｄｒｉｖｅｒ）３１０９に供給する。ＬＤＤ３１０９は記録時には、変調データに対して、記録に適切な記録波形を光ピックアップ３１０２に供給し、ピックアップ３１０２は記録波形に従って発光して記録を行う。３１１０はＢＣＡデコーダーであり、ＢＣＡの再生時には、[ＢＣＡ]で説明されたように低反射率の有無によって記録された、ＢＣＡのデータブロックのデコード処理を行う。デコード処理を行われた信号はＣＰＵ３１１２に送られ、実施例1に示すようなHigh to LowメディアとLow to Highメディアかに従って、サーボ３１１１の制御を行ったり、アナログフロントエンド３１０３の反射率の違いなどに応じたパラメータの制御をしたりする。本実施例では、図７から図１９で示された、共通化する記録処理の例に従って処理をしており、High to LowメディアとLow to Highメディアの各層数のディスクに対応しても、変調回路３１０８、復調処理回路３１０４、ＥＣＣ３１０６の規模の増大化を抑えながら対応することが出来る。
【００３０】
第1の実施例、第２の実施例に示されたディスクでは記録トラックがウォブリングされており、これに変調をかけることでアドレスが記録される。このアドレスの記録方式をディスクの容量によって切り替える方法について以下の示す。
【００３１】
まず、ウォブルアドレス構造について説明する。図２２のADIPデータ構造図のように、ディスクに記録されるADIPアドレス24ビット（AA23-AA0）104とディスク情報を格納する12ビットの補助データ（AUX data、AX11-AX0）1301で36ビットの情報ビットを持つ構造が定義され、情報ビットに対して誤り訂正符号付加やコード変換を実施して単位データあたりのコード列を生成する。このコード列は、単位周期あたりのウォブル構造に対して埋め込まれる。ウォブル構造は、ウォブルの周期性や位相が異なるものをある規則に基づいて配置し、配置の違いなどにより同期信号やデータ”0””1”を表現して、ADIPユニットと呼ばれるビット構造を生成する。そこで、図２３のADIPワード構造図のように、83ビットで構成される1 ADIPワードの構造におけるデータ60ビット（4ADIP bit×15 Block)に、先ほどのADIPデータ36ビットの誤り訂正符号付加変換後の値60ビットのコード列が配置される。また、補助データは図２４のように12ビットのデータ構造を96ワード集めて再配置することで、144バイト（12ビット×96ワード）を構成し、ディスク情報を示すデータと誤り訂正符号が配置され、データクラスタ周期に対して十分長い更新周期を有する。なお、32*PSN＝3*PAAの関係となるように、1クラスタ（32*PSN）のデータ長の1/3の周期に、一つのADIPアドレス（PAA）が得られるようなウォブル長にウォブルアドレス構造を生成しているため、ウォブルのある一定周期で得られるコード列を変換することで、ディスク上の物理的位置を特定するADIPアドレスを得ることが出来る。よって、あくまでもディスクに記録されているADIPアドレスは24ビットであり、ADIPアドレスのビット数を1ビット増加する場合には、ウォブルアドレス構造の大幅な改造が必要になる。36ビットの情報ビット構造、コード列に変換するための誤り訂正符号付加方法や変換方法、配置する周期やウォブル長、PSNとの相関などのいずれか、あるいは複数の見直しが必要になってしまう。その場合、従来との互換がとりにくい構造となってしまい、アドレスの生成・検出回路の冗長化やシステムの制御方法の複雑化が問題となってしまう。そこで、ウォブルに埋め込むアドレスビット数はそのままで、大幅なウォブル構造の改造を実施しないで、ウォブルアドレスが拡張できれば、制御もかなり容易で済むことになる。
【００３２】
図２５は本発明でのHigh to LowメディアとLow to Highメディアの多層光ディスクのアドレスの相関図である。図２２で示されるADIPデータ構造を維持したまま、ディスクに記録しない仮想ビットを用いてアドレスの拡張を行なう。本例では仮想ビットの割り付けはビット21としている。401はPhysical ADIP Addressの実際のアドレス（以降、PAA）、402はPhysical ADIP Addressのウォブル埋め込みアドレス（以降、PAAW）である。アドレスの生成方法として、PAA ビット21をスクランブル回路105のスクランブル処理ON/OFFを決める制御ビットとして入力し、下位2ビットのPAAビット1-0に対してスクランブル処理を施してウォブルへ埋め込む。即ち、仮想ビットPAA ビット21に従って、PAA ビット1-0のカウントの規則性を変えている。効果として、従来のウォブルアドレスのビット数のまま、アドレス拡張が可能となる。
【００３３】
ウォブルに埋め込まれたアドレスPAAWの検出方法について、図２６のタイミング図及び図２７の検出回路図の一例を用いて説明する。本実施例の場合は、仮想ビットPAA ビット21は層番号アドレスではなくて、クラスタ番号アドレスに割り付けられているため、各層でアドレス生成の切り替えが発生する。また、情報を埋め込む演算処理であるスクランブル方法としても下位2ビットのPAA ビット1-0に排他的論理和106でかけられているため、下位連続性検出回路304においてスクランブル処理有無の検出を行って、仮想ビットPAA ビット21の生成、PAA 1-0の検出を行う。これにより、下位連続性検出回路304の出力としてクラスタ内カウント値（PAA ビット1-0）の検出、更に下位連続性検出回路304で検出されたPAA ビット21とウォブルから検出されたPAAW ビット20-2を用いて上位アドレス検出回路303において、クラスタ番号アドレス（PAA ビット21-2）の生成やクラスタ番号の検出、ウォブルから検出されたPAAW ビット23-22を用いて層番号アドレス（PAA ビット24-22）の検出を行う。よって、それぞれの検出回路302,303,304より得られたアドレスをPAAアドレス生成回路305に入力されて、PAA ビット24-0のアドレスへと変換が出来る。
【００３４】
以上のように、仮想ビットを他のビットに情報として埋め込んでアドレスを生成し、検出時にアドレスを復元することで、ウォブルのアドレス構造を変えず、ウォブルに埋め込むアドレスのビット数を増やすことなく物理的位置を示すアドレスのビット数を拡張することが出来る。また、本実施例で説明したアドレス生成により作成された光ディスクからデータを再生する再生装置や光ディスクにデータを記録する記録装置においても、図２７で説明したアドレス検出回路を用いることで、データを記録再生する位置の検出が可能となる。従って、High to LowメディアとLow to Highメディアの２層、３層、４層、n層の全種類のディスクの容量を異ならせても、ウォブルアドレス空間を対応させることが容易に可能となる。
【符号の説明】
【００３５】
２４０１    光ディスク
２４０２    ＢＣＡ
３１００    光ディスク
３１１１    サーボ
３１０３    ＢＣＡデコーダ
【図１】
2013004162.tif 000003
【図２】
2013004162.tif 000004
【図３】
2013004162.tif 000005
【図４】
2013004162.tif 000006
【図５】
2013004162.tif 000007
【図６】
2013004162.tif 000008
【図７】
2013004162.tif 000009
【図８】
2013004162.tif 000010
【図９】
2013004162.tif 000011
【図１０】
2013004162.tif 000012
【図１１ａ】
2013004162.tif 000013
【図１１ｂ】
2013004162.tif 000014
【図１２】
2013004162.tif 000015
【図１３】
2013004162.tif 000016
【図１４】
2013004162.tif 000017
【図１５】
2013004162.tif 000018
【図１６】
2013004162.tif 000019
【図１７】
2013004162.tif 000020
【図１８】
2013004162.tif 000021
【図１９】
2013004162.tif 000022
【図２０】
2013004162.tif 000023
【図２１】
2013004162.tif 000024
【図２２】
2013004162.tif 000025
【図２３】
2013004162.tif 000026
【図２４】
2013004162.tif 000027
【図２５】
2013004162.tif 000028
【図２６】
2013004162.tif 000029
【図２７】
2013004162.tif 000030